(57)【特許請求の範囲】
【請求項１】
上端と、底端と、を有する中軸と、
前記中軸に嵌め設けられており、折畳み位置と展開位置との間にスライド可能であり、前記折畳み位置に選択的に固定可能な下ロクロと、
前記中軸に嵌め設けられており、前記上端と前記下ロクロとの間に位置する連接スライドブッシュと、
前記中軸に嵌め設けられており、その両端が前記連接スライドブッシュと前記下ロクロとを押付ける圧縮コイルバネと、
その中央が前記下ロクロに固定されている第１傘布と、
その中央が前記上端に固定されている第２傘布と、
前記上端と前記連接スライドブッシュとに連接されており、前記第１傘布と前記第２傘布との間に位置し、複数の傘骨を有し、前記傘骨は、前記第１傘布と前記第２傘布との間に環設されており、第１折りロッドと、第２折りロッドと、を有し、前記第１折りロッドは、一端が前記連接スライドブッシュに枢着されており、他端が前記第１傘布と前記第２傘布とのエッジに連接されており、前記第２折りロッドは、一端が前記上端に枢着されており、他端が前記第１折りロッドの中段に枢着されている傘骨本体と、
スライドユニットと、連接ユニットと、を有し、前記スライドユニットは前記傘骨本体にスライド可能に設けられており、前記スライドユニットは、複数のスライド円筒を有し、前記スライド円筒は前記第１折りロッドにスライド可能に設けられており、前記連接ユニットは、前記スライド円筒に対応する連接ロッドを有し、前記連接ロッドの両端は、前記スライド円筒と前記下ロクロとにそれぞれ枢着されている引き構造と、を含み、
前記第１折りロッドは、枢着端と、固定端と、前記枢着端と前記固定端との間に設けられている枢着部と、をそれぞれ有し、前記枢着端は前記連接スライドブッシュに枢着されており、前記固定端は、前記第１傘布と前記第２傘布とのエッジに連接されており、前記枢着部に前記第２折りロッドが枢着されており、前記スライド円筒は、前記枢着部と前記枢着端との間にスライド可能に設けられており、
前記枢着端は止め部をそれぞれ有し、前記止め部は、前記固定端へ徐々に縮径し、前記下ロクロが前記折畳み位置に位置するときには、前記スライド円筒が前記止め部を嵌めるように設けられており、前記傘骨本体が前記上端へ折畳まれて、前記第１傘布と前記第２傘布とが折畳まれ、且つ前記スライドユニットが中軸へスライドして、前記連接ユニットの前記傘骨本体に枢着する位置が前記中軸へ相対的に移動し、前記下ロクロが展開位置に位置するときには、前記スライド円筒が前記止め部から離脱することを特徴とする、
逆折り式自動傘。
【請求項２】
前記連接ロッドは、前記スライド円筒の前記固定端に向く一端に枢着されていることを特徴とする、請求項１に記載の逆折り式自動傘。
【請求項３】
前記枢着部と前記枢着端との間の距離は、前記枢着部と前記固定端との間の距離よりやや小さいことを特徴とする、請求項１に記載の逆折り式自動傘。
【請求項４】
前記第１折りロッドは、少なくとも一つの第１連接部と、少なくとも一つの第２連接部と、を有し、前記枢着端と前記固定端との間に位置し、前記第１傘布と前記第２傘布とをそれぞれ連接するためのものであることを特徴とする、請求項１に記載の逆折り式自動傘。
【請求項５】
前記連接スライドブッシュの前記上端に向く一端は、より大きい外径を持つ止め縁を有し、前記傘骨本体は前記止め縁に枢着されており、前記圧縮コイルバネの両端は、前記止め縁と前記下ロクロとにそれぞれ当接することを特徴とする、請求項１に記載の逆折り式自動傘。
【請求項６】
前記圧縮コイルバネの自由状態の長さは、前記連接スライドブッシュの長さより長いことを特徴とする、請求項５に記載の逆折り式自動傘。
【請求項７】
前記連接スライドブッシュの外径は、前記下ロクロの内径より小さいことを特徴とする、請求項５に記載の逆折り式自動傘。
【請求項８】
前記中軸の前記底端に近接する箇所には、下ハジキと、スイッチとが設けられており、前記下ロクロが折畳み位置に位置するときに、前記スイッチは、前記下ハジキを制御して前記下ロクロの内周面をスタックして固定するためのものであることを特徴とする、請求項１に記載の逆折り式自動傘。
【発明の詳細な説明】
【技術分野】
【０００１】
本発明は、傘に関し、特に、逆折り式自動傘に関するものである。
【背景技術】
【０００２】
特許文献１の中華民国実用新案Ｍ５０８９４１号は逆折り式傘を提案した。このような逆折り式傘は、中軸と、スライドブッシュと、第１傘布と、第２傘布と、傘骨本体と、を有する。
スライドブッシュが展開位置に位置するときには、傘骨本体の各第１折りロッドと各第２折りロッドとが連動されて作動することにより、傘骨本体が中軸の底端へ展開して、第１傘布と第２傘布とが展開される。スライドブッシュが折畳み位置に位置するときには、傘骨本体が中軸の上端へ折畳まれて、第１傘布と第２傘布とが折畳まれる。このとき、第１傘布と第２傘布との全体が下方から上方へ折畳まれるため、雨水が付着されている第２傘布が第１傘布内に位置し、第２傘布に付着する雨水が床面に滴ることを防止可能である。
【０００３】
一方、市場からの要請に対応するために、あるメーカは、上記の逆折り式傘を逆折り式自動傘に改良した。このような逆折り式自動傘は、連接スライドブッシュ、圧縮コイルバネ及び複数の連接ロッドなどの関連部材を追加する。
連接スライドブッシュは、中軸に嵌め設けられており、中軸の上端とスライドブッシュとの間に位置する。第１折りロッドの一端は、スライドブッシュに枢着されていることの代わりに、連接スライドブッシュに枢着されている。圧縮コイルバネの両端は、連接スライドブッシュとスライドブッシュとにそれぞれ当接する。連接ロッドは、一端が下ロクロに枢着されており、他端が傘骨本体に枢着されている。これにより、下ロクロが折畳み位置に固定されていないときには、圧縮コイルバネの弾力による回復力により、連接スライドブッシュが押さえられて、下ロクロが折畳み位置から展開位置へ自動的に作動して、第１傘布と第２傘布とが展開される。
【０００４】
しかしながら、上記の逆折り式自動傘は、スライドブッシュが連接ロッドを介して第１折りロッドと連接し、連接ロッドの第１折りロッドに枢着する位置が固定される。このため、傘を折畳むときに、下ロクロを展開位置から折畳み位置にスライドすることにより、傘骨本体が中軸の上端へ折畳まれるときには、第１折りロッドを中軸に良く当接できない。このため、折畳まれる傘は、全体の体積が大きすぎ、傘骨本体が折れやすい。
【先行技術文献】
【特許文献】
【０００５】
【特許文献１】中華民国実用新案Ｍ５０８９４１号公報
【発明の概要】
【発明が解決しようとする課題】
【０００６】
本発明の主な目的は、下ロクロが、連接ユニットを介して、傘骨本体にスライド可能に設けられているスライドユニットと連接することにより、折畳まれる傘骨本体が中軸に良く当接可能となる逆折り式自動傘を提供することにある。  
【課題を解決するための手段】
【０００７】
本発明の逆折り式自動傘は、上端と、底端と、を有する中軸と、中軸に嵌め設けられており、折畳み位置と展開位置との間にスライド可能であり、折畳み位置に選択的に固定可能な下ロクロと、中軸に嵌め設けられており、上端と下ロクロとの間に位置する連接スライドブッシュと、中軸に嵌め設けられており、その両端が連接スライドブッシュと下ロクロとに押付ける圧縮コイルバネと、その中央が下ロクロに固定されている第１傘布と、その中央が上端に固定されている第２傘布と、上端と連接スライドブッシュとに連接されており、第１傘布と第２傘布との間に位置する傘骨本体と、スライドユニットと、連接ユニットと、を有し、スライドユニットは傘骨本体にスライド可能に設けられており、連接ユニットの両端は、スライドユニットと下ロクロとにそれぞれ枢着されており、下ロクロが折畳み位置に位置するときには、傘骨本体が上端へ折畳まれて、第１傘布と第２傘布とが折畳まれ、且つスライドユニットが中軸へスライドして、連接ユニットの傘骨本体に枢著する位置が中軸へ相対的に移動する引き構造と、を含むことを特徴とする。
【発明の効果】
【０００８】
本発明の逆折り式自動傘は、下ロクロが、連接ユニットを介して、傘骨本体にスライド可能に設けられているスライドユニットと連接することにより、下ロクロを展開位置から折畳み位置にスライドするときに、スライドユニットが駆動されて中軸へスライドするため、スライドユニットの傘骨本体に枢着する位置が中軸へ相対的に移動し、中軸の上端へ折畳まれる傘骨本体は中軸に良く当接可能となり、折畳まれる傘は、全体の体積を減少可能であり、傘骨本体の不完全な折り畳みによる折れを回避可能であるという効果を有する。
【図面の簡単な説明】
【０００９】
【図１】本発明の外観を示す模式図であって、下ロクロが展開位置に位置することを示す。
【図２】図１の別の視点から見た模式図である。
【図３】本発明に係る第２傘布が中軸から取り外された状態の外観を示す模式図である。
【図４】本発明の一部の外観を示す模式図である。
【図５】図４の一部を示す拡大図である。
【図６】本発明に係る下ロクロが展開位置に位置する状態を示す模式図である。
【図７】本発明に係る下ロクロが折畳み位置に位置する状態を示す模式図である。
【発明を実施するための形態】
【００１０】
以下、本発明の実施の形態を図面に基づいて説明する。
【００１１】
本発明の中心思想を示すために、具体的な実施形態を挙げて説明する。本発明の実施形態の図面における各部材の比例、寸法、変形量または変位量は、説明を容易に理解するために示されるが、実際の比例ではない。
【００１２】
図１から図７を参照する。本発明に係る逆折り式自動傘は、中軸１０と、下ロクロ２０と、連接スライドブッシュ３０と、圧縮コイルバネ４０と、第１傘布５０と、第２傘布６０と、傘骨本体７０と、引き構造８０と、を含む。
【００１３】
中軸１０は、上端１１と、底端１２と、を有する。底端１２にハンドル１３が設けられている。
【００１４】
下ロクロ２０は、中軸１０に嵌め設けられており、折畳み位置と展開位置との間にスライド可能である。展開位置は中軸１０の上端に近接する。折畳み位置は中軸１０の底端に近接する。
下ロクロ２０は、連接端２１と、握り端２２と、を有し、連接端２１が中軸１０の上端１１に向き、握り端２２が中軸１０の底端１２に向く。一方、中軸１０の底端１２に近接する箇所には、下ハジキ１４と、スイッチ１５とが設けられている。下ロクロ２０が折畳み位置に位置するときに、スイッチ１５は、下ハジキ１４を制御して下ロクロ２０の内周面をスタックして固定するためのものである。これにより、下ロクロ２０を折畳み位置に選択的に固定可能である。
【００１５】
連接スライドブッシュ３０は、中軸１０に嵌め設けられており、中軸１０の上端１１と下ロクロ２０との間に位置する。連接スライドブッシュ３０の外径は、下ロクロ２０の内径より小さい。連接スライドブッシュ３０の上端１１に向く一端は、より大きい外径を持つ止め縁３１を有する。
【００１６】
圧縮コイルバネ４０は、図５に示すように、中軸３０に嵌め設けられており、自由状態の長さが連接スライドブッシュ３０より長く、その両端が連接スライドブッシュ３０の止め縁３１と下ロクロ２０の連接端２１とに押付ける。
【００１７】
第１傘布５０は、その中央が下ロクロ２０の連接端２１に固定されている。第１傘布５０は、図２に示すように、中軸１０の底端１２に向く箇所に縛りバンド５１が設けられている。
【００１８】
第２傘布６０は、その中央が中軸１０の上端１１に固定されている。
【００１９】
傘骨本体７０は、上端１１と連接スライドブッシュ３０とに連接されており、第１傘布５０と第２傘布６０との間に位置する。本発明に係る傘骨本体７０は、複数の傘骨を有する。前記傘骨は、第１傘布５０と第２傘布６０との間に環設されており、第１折りロッド７１と、第２折りロッド７２と、を有する。
【００２０】
第１折りロッド７１は、枢着端７３と、固定端７４と、枢着端７３と固定端７４との間に設けられている枢着部７５と、を有する。枢着端７３は、図５に示すように、連接スライドブッシュ３０の止め縁３１に枢着されている。固定端７４は、図６に示すように、第１傘布５０と第２傘布６０とのエッジに連接されており、その連接方式は縫合方式を採用することが好ましい。枢着部７５と枢着端７３との間の距離は、枢着部７５と固定端７４との間の距離よりやや小さい。第２折りロッド７２は、一端が中軸１０の上端１１に枢着されており、他端が枢着部７５に枢着されている。
【００２１】
一方、第１折りロッド７１は、少なくとも一つの第１連接部７６と、少なくとも一つの第２連接部７７と、を有し、枢着端７３と固定端７４との間に位置し、第１傘布５０及び第２傘布６０とそれぞれ連接するためのものであり、その連接方式は縫合方式を採用することが好ましい。
【００２２】
引き構造８０は、スライドユニットと、連接ユニットと、を有する。前記スライドユニットは、複数のスライド円筒８１を有する。スライド円筒８１は、第１折りロッド７１にスライド可能に設けられており、枢着部７５と枢着端７３との間にスライド可能である。前記連接ユニットは、これらのスライド円筒８１に対応する複数の連接ロッド８２を有する。連接ロッド８２の両端は、スライド円筒８１と下ロクロ２０の連接端２１とにそれぞれ枢着されている。そして連接ロッド８２は、スライド円筒８１の固定端７４に向く一端に枢着されている。
【００２３】
一方、第１折りロッド７１の枢着端７３は止め部７８を有する。止め部７８は、固定端７４へ徐々に縮径する。下ロクロ２０が折畳み位置に位置するときには、図７に示すように、スライド円筒８１が枢着端７３へスライドして、止め部７８を嵌める。下ロクロ２０が展開位置に位置するときには、図６に示すように、スライド円筒８１が固定端７４へスライドして、止め部７８から離脱する。
【００２４】
次に、本発明に係る逆折り式自動傘の使用方法及び効果を達成する原理を説明する。
【００２５】
ユーザが傘を折畳みたいときには、手動で下ロクロ２０を展開位置から折畳み位置にスライドすることが必要である。このとき、第１折りロッド７１と第２折りロッド７２とが連動されて作動して、傘骨本体７０が中軸１０の上端１１へ折畳まれて、図７に示すように、第１傘布５０と第２傘布６０とが折畳まれる。このとき、スライド円筒８１は、連接ロッド８２と下ロクロ２０とに駆動されて、第１折りロッド７１の枢着端７３へスライドして、止め部７８を嵌める。
【００２６】
このとき、圧縮コイルバネ４０が連接スライドブッシュ３０と下ロクロ２０とに押付けられて圧縮される状態になる。下ロクロ２０は、下ハジキ１４に固定されて折畳み位置に位置する。
【００２７】
ユーザが傘を展開したいときには、スイッチ１５を押圧すると、下ハジキ１４が下ロクロ２０をリリースして、圧縮コイルバネ４０の弾力よる回復力により、連接スライドブッシュ３０が押さえられて、下ロクロ２０が駆動されて折畳み位置から展開位置に自動的にスライドする。このとき、第１折りロッド７１と第２折りロッド７２とが連動されて作動することにより、傘骨本体７０が中軸１０の底端１２へ展開して、図１及び図６に示すように、第１傘布５０と第２傘布６０とが展開され、スライド円筒８１が固定端７４へスライドして、止め部７８から離脱する。
【００２８】
これにより、本発明に係る下ロクロ２０は、連接ロッド８２が、第１折りロッド７１にスライド可能に設けられているスライド円筒８１と連接することにより、下ロクロ２０を展開位置から折畳み位置にスライドするときに、スライド円筒８１が第１折りロッド７１の枢着端７３へスライドするため、連接ロッド８２の第１折りロッド７１に枢着する位置が中軸１０へ相対的に移動する。これにより、中軸１０の上端１１へ折畳まれる傘骨本体７０は中軸１０に良く当接可能となり、折畳まれる傘１００は、全体の体積を減少可能であり、傘骨本体７０の不完全な折り畳みによる折れを回避可能である。
【００２９】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【００３０】
本発明は、逆折り式傘に適用することができる。
【符号の説明】
【００３１】
１０    中軸
１１    上端
１２    底端
１３    ハンドル
１４    下ハジキ
１５    スイッチ
２０    下ロクロ
２１    連接端
２２    握り端
３０    連接スライドブッシュ
３１    止め縁
４０    圧縮コイルバネ
５０    第１傘布
５１    縛りバンド
６０    第２傘布
７０    傘骨本体
７１    第１折りロッド
７２    第２折りロッド
７３    枢着端
７４    固定端
７５    枢着部
７６    第１連接部
７７    第２連接部
７８    止め部
８０    引き構造
８１    スライド円筒
８２    連接ロッド
１００  逆折り式傘
【図１】
0006266122.tif 000002
【図２】
0006266122.tif 000003
【図３】
0006266122.tif 000004
【図４】
0006266122.tif 000005
【図５】
0006266122.tif 000006
【図６】
0006266122.tif 000007
【図７】
0006266122.tif 000008